(57)【要約】【課題】シートフィードタイプの画像読取装置において、各種操作を行う操作パネルが、これから読み取りを行う原稿をセットした際に原稿によって覆われる位置にある場合、操作パネルを操作する際に原稿をめくり上げる必要が生じ、操作部の操作性を低下させる。【解決手段】画像読取装置は、読み取り手段と、原稿送りローラーと、操作部と、制御部と、を備えている。原稿搬送方向において原稿送りローラーの上流には、原稿を検出する原稿検出手段が設けられている。制御部は、原稿検出手段の検出情報に基づき原稿の先端を検出すると、原稿の先端が原稿搬送方向において読み取り手段の上流端より下流に位置する退避位置に至るまで原稿送りローラーを第１回転方向に回転させ、原稿の先端が退避位置に位置する状態で次の指示を待つ原稿退避モードを実行可能である。【選択図】図７
2020182032.tif 000002
【特許請求の範囲】
【請求項１】
原稿を読み取る読み取り手段と、
前記読み取り手段によって前記原稿を読み取る際の原稿搬送方向において前記読み取り手段の上流に位置し、前記原稿を前記原稿搬送方向の下流に送る第１回転方向及び前記原稿を前記原稿搬送方向の上流に送る第２回転方向に回転可能な原稿送りローラーと、
前記原稿送りローラーに対し前記原稿搬送方向の上流に位置する操作部と、
前記読み取り手段及び前記原稿送りローラーを制御する制御部と、を備え、
前記原稿搬送方向において前記原稿送りローラーの上流に、前記原稿を検出する原稿検出手段が設けられ、
前記制御部は、前記原稿検出手段の検出情報に基づき前記原稿の先端を検出すると、前記原稿の先端が前記原稿搬送方向において前記読み取り手段の上流端より下流に位置する退避位置に至るまで前記原稿送りローラーを前記第１回転方向に回転させ、前記原稿の先端が前記退避位置に位置する状態で次の指示を待つ原稿退避モードを実行可能である、
ことを特徴とする画像読取装置。
【請求項２】
請求項１に記載の画像読取装置において、前記制御部は、前記原稿退避モードの実行後、前記原稿の読み取り開始指示を受けると前記原稿の先端が読み取り開始位置に至るまで前記原稿送りローラーを前記第２回転方向に回転させる頭出しモードを実行し、
次いで前記原稿送りローラーを前記第１回転方向に回転させながら前記読み取り手段により前記原稿の読み取りを行う、
ことを特徴とする画像読取装置。
【請求項３】
請求項２に記載の画像読取装置において、複数枚の前記原稿の読み取りを行う際、１枚目の前記原稿に対してのみ前記原稿退避モードを適用する、
ことを特徴とする画像読取装置。
【請求項４】
請求項２または請求項３に記載の画像読取装置において、前記制御部は前記原稿退避モードの実行後、前記原稿の読み取り開始指示を受けると、所定のウェイトを設けた後に前記頭出しモードを実行する、
ことを特徴とする画像読取装置。
【請求項５】
請求項２から請求項４のいずれか一項に記載の画像読取装置において、前記制御部は、前記退避位置を、前記原稿が前記操作部を覆わずに視認可能とする位置に設定する、
ことを特徴とする画像読取装置。
【請求項６】
請求項５に記載の画像読取装置において、前記操作部に、或いは前記原稿搬送方向において前記操作部の下流に、前記原稿の後端の通過を検出する後端検出手段を備え、
前記制御部は、前記後端検出手段の検出情報をもとに、前記原稿の先端を前記退避位置に位置決めする、
ことを特徴とする画像読取装置。
【請求項７】
請求項５に記載の画像読取装置において、前記制御部は、前記原稿のサイズ情報に基づき、前記原稿の先端を前記退避位置に位置決めする、
ことを特徴とする画像読取装置。
【請求項８】
被記録媒体に記録を行う記録ユニットと、
前記記録ユニットの上部に設けられた、請求項１から請求項７のいずれか一項に記載の前記画像読取装置と、
を備えた記録装置。
【発明の詳細な説明】
【技術分野】
【０００１】
本発明は、原稿の画像を読み取る画像読取装置、及びこれを備えた記録装置に関する。
【背景技術】
【０００２】
原稿の画像を読み取る画像読取装置には、原稿台に載置された原稿に対し読み取りセンサーが移動する所謂フラットベッドタイプのほか、固定された読み取りセンサーに対し原稿を移動させる所謂シートフィードタイプがある。特許文献１には、後者のタイプのイメージリーダ部を備えた画像形成装置が開示されている。特許文献１記載の画像形成装置は、画像形成部の上に、イメージリーダ部が設けられている。
【先行技術文献】
【特許文献】
【０００３】
【特許文献１】特開２００１−１０９２１０号公報
【発明の概要】
【発明が解決しようとする課題】
【０００４】
シートフィードタイプの画像読取装置において、各種操作を行う操作部が、これから読み取りを行う原稿をセットした際に原稿によって覆われる位置にある場合、操作部を操作する際に原稿をめくり上げる必要が生じ、操作部の操作性を低下させることとなる。
【課題を解決するための手段】
【０００５】
上記課題を解決する本発明の画像読取装置は、原稿を読み取る読み取り手段と、前記読み取り手段によって前記原稿を読み取る際の原稿搬送方向において前記読み取り手段の上流に位置し、前記原稿を前記原稿搬送方向の下流に送る第１回転方向及び前記原稿を前記原稿搬送方向の上流に送る第２回転方向に回転可能な原稿送りローラーと、前記原稿送りローラーに対し前記原稿搬送方向の上流に位置する操作部と、前記読み取り手段及び前記原稿送りローラーを制御する制御部と、を備え、前記原稿搬送方向において前記原稿送りローラーの上流に、前記原稿を検出する原稿検出手段が設けられ、前記制御部は、前記原稿検出手段の検出情報に基づき前記原稿の先端を検出すると、前記原稿の先端が前記原稿搬送方向において前記読み取り手段の上流端より下流に位置する退避位置に至るまで前記原稿送りローラーを前記第１回転方向に回転させ、前記原稿の先端が前記退避位置に位置する状態で次の指示を待つ原稿退避モードを実行可能であることを特徴とする。
【図面の簡単な説明】
【０００６】
【図１】開閉カバーが閉じた状態のプリンターの外観斜視図。
【図２】開閉カバーが開いた状態のプリンターの外観斜視図。
【図３】開閉カバーが閉じた状態のプリンターの側断面図。
【図４】開閉カバーが開いた状態のプリンターの側断面図。
【図５】図４の部分拡大図。
【図６】読み取り機構部の制御系統を示すブロック図。
【図７】原稿位置の変化を示す模式図。
【図８】原稿位置の変化を示す模式図。
【図９】制御部が実行する制御モードのフローチャート。
【図１０】後端検出センサーの配置例を示す模式図。
【発明を実施するための形態】
【０００７】
以下、本発明について概略的に説明する。  
第１の態様に係る記録装置は、原稿を読み取る読み取り手段と、前記読み取り手段によって前記原稿を読み取る際の原稿搬送方向において前記読み取り手段の上流に位置し、前記原稿を前記原稿搬送方向の下流に送る第１回転方向及び前記原稿を前記原稿搬送方向の上流に送る第２回転方向に回転可能な原稿送りローラーと、前記原稿送りローラーに対し前記原稿搬送方向の上流に位置する操作部と、前記読み取り手段及び前記原稿送りローラーを制御する制御部と、を備え、前記原稿搬送方向において前記原稿送りローラーの上流に、前記原稿を検出する原稿検出手段が設けられ、前記制御部は、前記原稿検出手段の検出情報に基づき前記原稿の先端を検出すると、前記原稿の先端が前記原稿搬送方向において前記読み取り手段の上流端より下流に位置する退避位置に至るまで前記原稿送りローラーを前記第１回転方向に回転させ、前記原稿の先端が前記退避位置に位置する状態で次の指示を待つ原稿退避モードを実行可能であることを特徴とする。
【０００８】
本態様によれば、前記制御部は、前記原稿検出手段の検出情報に基づき前記原稿の先端を検出すると、前記原稿の先端が前記原稿搬送方向において前記読み取り手段の上流端より下流に位置する退避位置に至るまで前記原稿送りローラーを前記第１回転方向に回転させ、前記原稿の先端が前記退避位置に位置する状態で次の指示を待つ原稿退避モードを実行可能であるので、前記原稿をセットした際に前記原稿が前記操作部を覆っても、前記原稿が一旦前記原稿搬送方向の下流に送られるので、前記原稿が前記操作部を覆う領域が減り、或いは前記原稿が前記操作部を覆う状態が解消され、これによって前記操作部の操作性の低下を抑制できる。
【０００９】
第２の態様は、第１の態様において、前記制御部は、前記原稿退避モードの実行後、前記原稿の読み取り開始指示を受けると前記原稿の先端が読み取り開始位置に至るまで前記原稿送りローラーを前記第２回転方向に回転させる頭出しモードを実行し、次いで前記原稿送りローラーを前記第１回転方向に回転させながら前記読み取り手段により前記原稿の読み取りを行うことを特徴とする。  
本態様によれば、上記第１の態様の作用効果により、前記操作部を操作して前記原稿の読み取り開始指示を行う際の操作性が確保される。
【００１０】
第３の態様は、第２の態様において、複数枚の前記原稿の読み取りを行う際、１枚目の前記原稿に対してのみ前記原稿退避モードを適用することを特徴とする。  
複数枚の前記原稿の読み取りを行う場合、前記操作部を介した各種操作設定は、通常１枚目の前記原稿の読み取りを行う前に１度行えば足りる。そして本態様によれば、複数枚の前記原稿の読み取りを行う際、１枚目の前記原稿に対してのみ前記原稿退避モードを適用するので、複数枚の前記原稿の読み取りを行う際のスループットの向上を図ることができる。
【００１１】
第４の態様は、第２のまたは第３の態様において、前記制御部は前記原稿退避モードの実行後、前記原稿の読み取り開始指示を受けると、所定のウェイトを設けた後に前記頭出しモードを実行することを特徴とする。  
本態様によれば、前記制御部は前記原稿退避モードの実行後、前記原稿の読み取り開始指示を受けると、所定のウェイトを設けた後に前記頭出しモードを実行するので、前記操作部を操作した直後に前記原稿が前記操作部に向かって移動することを回避でき、前記操作部を操作しているユーザーの手指に前記原稿が当たることを抑制できる。
【００１２】
第５の態様は、第２から第４の態様のいずれかにおいて、前記制御部は、前記退避位置を、前記原稿が前記操作部を覆わずに視認可能とする位置に設定することを特徴とする。  
本態様によれば、前記制御部は、前記退避位置を、前記原稿が前記操作部を覆わずに視認可能とする位置に設定するので、前記操作部の操作性がより一層確保される。
【００１３】
第６の態様は、第５の態様において、前記操作部に、或いは前記原稿搬送方向において前記操作部の下流に、前記原稿の後端の通過を検出する後端検出手段を備え、前記制御部は、前記後端検出手段の検出情報をもとに、前記原稿の先端を前記退避位置に位置決めすることを特徴とする。
【００１４】
本態様によれば、前記操作部に、或いは前記原稿搬送方向において前記操作部の下流に、前記原稿の後端の通過を検出する後端検出手段を備え、前記制御部は、前記後端検出手段の検出情報をもとに、前記原稿の先端を前記退避位置に位置決めするので、前記操作部が前記原稿によって覆われず視認可能となる状態を確実に形成することができる。
【００１５】
第７の態様は、第５の態様において、前記制御部は、前記原稿のサイズ情報に基づき、前記原稿の先端を前記退避位置に位置決めすることを特徴とする。  
本態様によれば、前記制御部は、前記原稿のサイズ情報に基づき、前記原稿の先端を前記退避位置に位置決めするので、前記操作部が前記原稿によって覆われず視認可能となる状態をより確実に形成することができる。
【００１６】
第８の態様に係る記録装置は、被記録媒体に記録を行う記録ユニットと、前記記録ユニットの上部に設けられた、第１から第７の態様のいずれかに係る前記画像読取装置とを備えたことを特徴とする。  
本態様によれば、記録装置において、上述した第１から第７の態様のいずれかの作用効果が得られる。
【００１７】
以下、本発明を具体的に説明する。  
尚、各図においてＸ軸方向は装置幅方向であり、−Ｘ方向は装置前面をユーザーと対面させた際にユーザーから見て右方向となり、また＋Ｘ方向は同左方向となる。またＸ軸方向は、後述する装置本体部２において記録ヘッド２２と対向する領域での用紙搬送方向と交差する方向、即ち用紙幅方向となる。  
Ｙ軸方向は装置奥行き方向であり、＋Ｙ方向は装置背面から前面に向かう方向であり、−Ｙ方向は装置前面から背面に向かう方向である。本実施形態において装置の周囲を構成する複数の側面のうちチルトパネル６が設けられた側面が装置前面となり、その反対の側面が装置背面となる。またＹ軸方向のうち＋Ｙ方向は、後述する装置本体部２において記録ヘッド２２と対向する領域での用紙搬送方向となる。  
Ｚ軸方向は鉛直方向であり、＋Ｚ方向は鉛直上方向、−Ｚ方向は鉛直下方向となる。
【００１８】
図１及び図２において記録装置の一例であるインクジェットプリンター１は、装置本体部２の上部に、原稿を読み取る読み取り機構部３を備えて成る、所謂複合機である。装置本体部２は、被記録媒体の一例である記録用紙に記録を行う記録ユニットの一例であり、また読み取り機構部３は、原稿の画像を読み取る画像読取装置の一例である。以下、インクジェットプリンター１は、プリンター１と略称する。
【００１９】
プリンター１は、装置前面に、プリンター１の電源オンオフ操作を行う為の電源ボタン８及びその他各種操作を行う為の操作部７を有するチルトパネル６を備えている。操作部７には、各種情報表示を行う表示部７ａが設けられている。チルトパネル６は、読み取り機構部３の構成要素であり、また装置本体２の構成要素でもある。チルトパネル６は、回転軸６ａ（図３参照）を中心に回転することで、チルト可能となっている。  
また装置前面には前面カバー９を備えており、前面カバー９は回転軸９ａ（図３参照）を中心に回転することで、図１及び図２に示す様に閉じた状態と、記録が行われて排出される記録用紙の排出経路を開放する開いた状態（不図示）と、を取り得る。
【００２０】
装置本体部２は、上面の前方側が開閉カバー４によって構成されている。開閉カバー４は、不図示の回転軸を中心に回転することで、図１及び図２に示す様に閉じた状態と、装置本体部２の内部を露呈させる開いた状態（不図示）と、を取り得る。開閉カバー４を開くことで、例えば詰まった記録用紙の除去や、後述するインクタンク２１へのインクの補充が実行可能となる。  
開閉カバー４には前方覆い部４ｂが一体に設けられている。開閉カバー４の上面４ａと前方覆い部４ｂはほぼ直角を成しており、開閉カバー４が閉じ且つチルトパネル６が閉じた状態では、図１及び図２に示すように前方覆い部４ｂの表面とチルトパネル６の表面とが面一となる。
【００２１】
チルトパネル６及び前方覆い部４ｂの下には前面カバー９が開閉可能に設けられており、図１及び図２は前面カバー９が閉じた状態を示している。図示するように前面カバー９が閉じた状態では、前面カバー９の表面、前方覆い部４ｂの表面、チルトパネル６の表面、のこれらが面一となり、垂直に沿った面を形成する。  
前面カバー９を開くことで、装置前方に向けて排出される記録用紙を受ける排出トレイ２９（図３）を引き出すことができる。
【００２２】
装置上面における後方側には、開閉カバー１０が設けられている。開閉カバー１０は、回転軸１０ｃ（図３、図４参照）を中心に回転することで、図１及び図３に示す閉じた状態と、図２及び図４に示す開いた状態とを取り得る。  
開閉カバー１０を開くと、図２に示す様に読み取り機構部３が露呈し、原稿の読み取りが実行可能となる。また開閉カバー１０を開くと、後述する支持部材１２への記録用紙のセットが可能となる。図２において矢印Ａは、記録用紙のセット方向を示している。
【００２３】
以下、図３、図４を参照しつつ、装置本体部２における記録用紙の搬送経路について説明する。  
装置後方には支持部材１２が設けられており、給送前の記録用紙は、支持部材１２と、図４に示す様に開いた状態の開閉カバー１０の裏面で構成される用紙支持面１０ａとによって傾斜姿勢で支持される。  
支持部材１２は不図示の揺動軸を中心に揺動可能に構成されており、揺動することで、支持した記録用紙を給送ローラー１３に対して進退させる。
【００２４】
給送ローラー１３は不図示のモーターにより回転駆動され、回転することにより、記録用紙を下流に送り出す。給送ローラー１３と対向する位置には回転抵抗が付与された分離ローラー１４が設けられており、この分離ローラー１４が給送ローラー１３との間でニップ領域を形成することにより、記録用紙の重送が防止される。  
尚、図４において符号Ｐｄで示す二点鎖線は、給送ローラー１３により送り出され、搬送される記録用紙の搬送軌跡を示している。
【００２５】
給送ローラー１３により送り出された記録用紙は、搬送ローラー対１７に到達する。搬送ローラー対１７は、不図示の駆動源により駆動される駆動ローラー１８と、従動回転する従動ローラー１９とで構成されており、記録用紙はこの両ローラーによりニップされ、記録ヘッド２２と対向する領域、即ち記録領域に送られ、記録が行われる。
【００２６】
記録ヘッド２２を備えるキャリッジ２０は、Ｘ軸方向に延びるメインフレーム２４にガイドされつつ、不図示の動力源によってＸ軸方向に往復動する。記録ヘッド２２は、キャリッジ２０の移動動作に伴い、記録用紙に対してインクを吐出する。  
キャリッジ２０にはインクタンク２１が搭載されており、このインクタンク２１から記録ヘッド２２へとインクが供給される。  
尚、本実施形態においてインクタンク２１は不図示のインク供給口を備えており、このインク供給口からインクタンク２１へのインクの補充が可能に構成されている。
【００２７】
メインフレーム２４は金属板材により形成されており、側面視において水平方向と交差するフレーム面を形成する鉛直部２４ａと、鉛直部２４ａの上部が折り曲げられることで形成された第１水平部２４ｂと、鉛直部２４ａの下部が折り曲げられることで形成された第２水平部２４ｃと、を備えている。鉛直部２４ａは、本実施形態では垂直面に沿っている。第１水平部２４ｂ及び第２水平部２４ｃは、本実施形態では水平面に沿っている。  
メインフレーム２４は、第１水平部２４ｂの＋Ｙ方向端部が−Ｚ方向に折り曲げられており、また第２水平部２４ｃの＋Ｙ方向端部が＋Ｚ方向に折り曲げられ、更にその上端部が−Ｙ方向に僅かに折り曲げられており、側面視において全体的に矩形の空間が形成された状態となっている。そしてこの空間にキャリッジ２０の一部が入り込み、この入り込んだ部分がメインフレーム２４によってＸ軸方向にガイドされる。
【００２８】
記録ヘッド２２と対向する位置には支持リブ３１が設けられており、記録ヘッド２２により記録の行われる記録用紙は、支持リブ３１によって支持される。  
支持部材１２に対して搬送方向下流には、図３に示す様に記録の行われた記録用紙を装置前方に向けて排出する排出ローラー対２６が設けられている。排出ローラー対２６は、不図示の駆動源により駆動される駆動ローラー２７と、従動回転する従動ローラー２８とで構成されており、記録用紙はこの両ローラーによりニップされ、装置前方に向けて排出され、引き出された状態の排出トレイ２９によって支持される。
【００２９】
以上が装置本体部２の構成であり、以下、装置本体部２の上部に設けられた読み取り機構部３について図４を参照しつつ説明する。  
読み取り機構部３は、入口トレイ４０と、上部ユニット３６と、下部ユニット３７と、排出トレイ５３と、によって全体が構成されている。
【００３０】
読み取りを行う原稿は、その先端側が入口トレイ４０により支持され、後端側が開閉カバー４（図２参照）の上面４ａ（図２参照）に支持される。図２において矢印Ｂは、読み取り原稿のセット方向を示している。また図２において符号Ｇｐは、入口トレイ４０と、装置本体部２の上面４ａとで支持される、セットされた原稿を示している。ユーザーは、原稿を１枚ずつ読み取り機構部３にセットする。図２において符号３８ａ、３８ｂは、セットされた原稿の側端をガイドするエッジガイドである。  
図５に戻り、読み取り機構部３における原稿読み取り時の際の原稿搬送方向は概ね−Ｙ方向であり、入口トレイ４０に対し原稿搬送方向の下流には搬送ローラー対４１が設けられている。搬送ローラー対４１は、原稿送りモーター６２（図６）により駆動される原稿送りローラーとしての駆動ローラー４２と、従動回転する従動ローラー４３とで構成されており、原稿はこの両ローラーによりニップされ、原稿搬送方向の下流へと送られる。
【００３１】
駆動ローラー４２は、原稿送りモーター６２の回転方向の切り換えにより、原稿を原稿搬送方向の下流に送る第１回転方向と、原稿搬送方向の上流に送る第２回転方向と、に回転可能である。以下では、駆動ローラー４２が第１回転方向に回転する際の搬送ローラー対４１の回転を「正回転」と称し、駆動ローラー４２が第２回転方向に回転する際の搬送ローラー対４１の回転を「逆回転」と称する。  
尚、搬送ローラー対４１の上流近傍には、原稿の通過を検出する原稿検出センサー６１が設けられている。原稿検出センサー６１は、接触式のセンサーであっても良いし、非接触式の例えば光学センサーであっても良い。原稿検出センサー６１は、原稿の先端や後端の通過を検出する。
【００３２】
搬送ローラー対４１に対し原稿搬送方向の下流には読み取りガラス５８が設けられており、この読み取りガラス５８の下側に読み取り手段としてのセンサーモジュール５５が設けられている。センサーモジュール５５はＸ軸方向に延設され、押圧ばね５７により読み取りラス５８の下側から読み取りガラス５８の下面に押し当たっている。センサーモジュール５５には光学縮小方式（CCD方式）や密着センサー方式（CIS方式）を採用でき、本実施形態では密着センサー方式（CIS方式）を採用する。符号５６は、受光素子（不図示）及び発光素子（不図示）が設けられた回路基板である。  
センサーモジュール５５は、保持フレーム５４によって保持されており、保持フレーム５４は、下部ユニット３７の基体を構成し、また、下部ユニット３７の最下面を形成する。
【００３３】
読み取りガラス５８の上には押さえ部材４５が設けられている。押さえ部材４５は、圧縮ばね４６によって読み取りガラス５８に向けて押圧されている。搬送ローラー対４１によって搬送される原稿は、押さえ部材４５と読み取りガラス５８とで挟まれた状態で、センサーモジュール５５によって読み取られる。  
従動ローラー４３、押さえ部材４５、圧縮ばね４６、従動ローラー５０、のこれらは、上部ユニット３６の基体を構成する保持フレーム５１に設けられる。
【００３４】
読み取りガラス５８の下流には、読み取りの行われた原稿を排出する排出ローラー対４８が設けられている。排出ローラー対４８は、原稿送りモーター６２（図６）により駆動される原稿送りローラーとしての駆動ローラー４９と、従動回転する従動ローラー５０とで構成されており、読み取りの行われた原稿はこの両ローラーによりニップされ、排出トレイ５３に向けて排出される。符号Ｇｒは、セットされ、読み取りが行われ、排出される原稿の通過軌跡を示している。  
尚、駆動ローラー４９は、原稿送りモーター６２の回転方向の切り換えにより、原稿を原稿搬送方向の下流に送る第１回転方向と、原稿搬送方向の上流に送る第２回転方向と、に回転可能である。以下では、駆動ローラー４９が第１回転方向に回転する際の排出ローラー対４８の回転を「正回転」と称し、駆動ローラー４９が第２回転方向に回転する際の排出ローラー対４８の回転を「逆回転」と称する。
【００３５】
原稿支持トレイとしての排出トレイ５３は、斜め上下方向にスライド変位することで、図３に示す非展開状態と図４、図５、図２に示す展開状態とを切り換え可能に設けられており、また更にサブトレイ５３ａを展開可能に構成されている。サブトレイ５３ａは、図４に示す回転軸５３ｃを中心に図４の時計回り方向及び反時計回り方向に回転することで、図４において実線で示す展開状態と、２点鎖線及び符号５３ａ＿１で示す収納状態と、を取り得る。  
尚、長尺の原稿は、排出されるとその先端が排出トレイ５３を乗り越え、排出トレイ５３の背後に位置する開閉カバー１０の用紙支持面１０ａによって支持される。  
図５において符号Ｇｈで示す実線は、排出トレイ５３によって支持される原稿を示している。また、符号５３ｂは、原稿支持面である。
【００３６】
以上説明した従動ローラー４３、押さえ部材４５、圧縮ばね４６、従動ローラー５０、保持フレーム５１、のこれらは、上部ユニット３６を構成する。上部ユニット３６は、不図示の回転軸を中心にして下部ユニット３７に対して回転可能に設けられており、開くことにより、搬送ローラー対４１及び排出ローラー対４８による原稿ニップ状態が解除できる。  
また、以上説明した駆動ローラー４２、センサーモジュール５５、駆動ローラー４９、保持フレーム５４、のこれらは、下部ユニット３７を構成する。
【００３７】
次いで読み取り機構部３に原稿がセットされた際の制御について説明する。図６に示す様に読み取り機構部３の各種制御を行う制御部６０は、センサーモジュール５５、原稿送りモーター６２、操作部７を構成する表示部７ａ、のこれらを制御する。また制御部６０には、原稿検出センサー６１や操作部７からの出力信号が入力される。  
制御部６０は記憶部６３を有しており、この記憶部６３に、読み取り機構部３の制御に必要な各種プログラムや、読み取り機構部３の制御に必要な各種情報が格納されている。
【００３８】
読み取り機構部３に原稿がセットされた際、制御部６０は図９に示す制御を行う。制御部６０は、原稿検出センサー６１の検出情報に基づき原稿先端の通過、つまり原稿がセットされたことを検知すると（ステップＳ１０１においてYes）、所定時間のウェイトを行う（ステップＳ１０２）。このウェイトは、適宜設定でき、例えば１秒に設定できる。このウェイトは、原稿先端が原稿検出センサー６１による検出位置から搬送ローラー対４１に到達するのを待つ意味合いがある。  
図７の上の図は、１枚目の原稿Ｇｐがセットされた状態を示している。尚、本実施形態において原稿Ｇｐがセットされた状態とは、図７の上の図のように原稿Ｇｐが入口トレイ４０に支持されるとともに、先端Ｇｆが原稿検出センサー６１を通過した状態を意味する。以下では、原稿を原稿Ｇｐと称し、原稿の先端を先端Ｇｆと称し、原稿の後端を後端Ｇｒと称する。
【００３９】
次いで制御部６０は、セットされた原稿Ｇｐが１枚目の原稿Ｇｐであるか否かを判断する（ステップＳ１０３）。１枚目の原稿Ｇｐであるか否かは、例えば前回の原稿読み取りが終了してから所定時間経過しているか否かで判断できる。この所定時間は、適宜設定でき、例えば６０秒に設定できる。
【００４０】
制御部６０は、セットされた原稿Ｇｐが１枚目の原稿Ｇｐでない場合（ステップＳ１０３においてNo）、後述する原稿退避送りをスキップして原稿Ｇｐのスキャンを開始する（ステップＳ１０９）。１枚目の原稿Ｇｐである場合（ステップＳ１０３においてYes）、原稿退避送りを実行する（ステップＳ１０４）。原稿退避送りは、図７の中央の図から下の図への変化で示す様に、セットされた原稿Ｇｐの先端Ｇｆが原稿搬送方向においてセンサーモジュール５５の上流端位置Ｙ２より下流に位置する退避位置Ｙ０に至るまで搬送ローラー対４１及び排出ローラー対４８を正回転させるものであり、このときの送り量はＬ１となる。この送り量Ｌ１の原稿退避送りによって、図７の中央の図で示す様に原稿Ｇｐが操作部７を覆った状態が、図７の下の図で示す様に解消される。
【００４１】
そして制御部６０は、ステップＳ１０４を実行した後、次の指示を待つ。次の指示の一例としては、ユーザーが操作部７を操作することによるスキャン開始の指示であり、制御部６０はスキャン開始指示を受けると（ステップＳ１０５においてYes）、所定時間のウェイトを行い（ステップＳ１０６）、次いで原稿Ｇｐの先端Ｇｆが図８の上の図で示す様に読み取り開始位置Ｙ１に至るまで搬送ローラー対４１及び排出ローラー対４８を逆回転させ、原稿Ｇｐを上流に戻す（ステップＳ１０７）。  
ステップＳ１０７における戻し量Ｌ２の原稿戻しは、原稿Ｇｐの先端Ｇｆを読み取り開始位置Ｙ１に頭出しさせる頭出しモードである。読み取り開始位置Ｙ１は、原稿Ｇｐが搬送ローラー対４１にニップされた状態が維持される位置でもある。  
尚、ステップＳ１０６のウェイトは、適宜設定でき、例えば０．５秒に設定できる。このウェイトの意義については別途後述する。
【００４２】
そして制御部６０は、搬送ローラー対４１及び排出ローラー対４８を正回転させながら図８の中央の図で示す様にセンサーモジュール５５によって原稿Ｇｐのスキャンを行い（ステップＳ１０９）、原稿Ｇｐのスキャンが終了すると図８の下の図で示すように原稿Ｇｐを排出する（ステップＳ１１０）。このときの排出量はＬ３となる。排出量Ｌ３は、原稿Ｇｐの後端Ｇｒが排出ローラー対４８を外れるまでの排出量となる。
【００４３】
以上説明した様に制御部６０は、原稿検出センサー６１の検出情報に基づき原稿Ｇｐの先端Ｇｆを検出すると、先端Ｇｆが退避位置Ｙ０に至るまで搬送ローラー対４１及び排出ローラー対４８を正回転させ、先端Ｇｆを退避位置Ｙ０で停止させた状態で次の指示を待つ原稿退避モードを実行可能である。原稿退避モードは、本実施形態では図９のステップＳ１０１〜Ｓ１０５で構成される。  
従って原稿Ｇｐをセットした際に図７の中央の図で示す様に原稿Ｇｐが操作部７を覆っても、図７の下の図で示す様に先端Ｇｆが一旦退避位置Ｙ０に位置するまで原稿Ｇｐが送られるので、操作部７の操作性の低下を抑制できる。
【００４４】
尚、退避位置Ｙ０はセンサーモジュール５５の上流端位置Ｙ２より下流であればどの様な位置でも良く、即ちステップＳ１０４の送り量Ｌ１はどの様な量であっても良い。即ち原稿Ｇｐが操作部７を覆っていても、その状態から原稿Ｇｐを原稿搬送方向の下流に多少でも送ることで、操作部７の視認性は向上し、或いは操作部７を覆った原稿Ｇｐをめくり上げる際のハンドリング性が向上する。  
但し退避位置Ｙ０は、原稿Ｇｐが操作部７を覆わずに視認可能とする位置に設定することが好適である。これにより、操作部７を操作する際に原稿Ｇｐをめくり上げる必要がなく、操作部７の操作性がより一層確保される。
【００４５】
また、ステップＳ１０４の送り量Ｌ１で規定される退避位置Ｙ０は、原稿Ｇｐのサイズ情報に基づいて設定することができる。原稿Ｇｐのサイズ情報は、操作部７から入力することができ、或いはプリンター１に接続された外部コンピューター１００（図６参照）から入力することができる。これにより、操作部７が原稿Ｇｐによって覆われず視認可能となる状態をより確実に形成することができる。或いは、図２に示すエッジガイド３８ａ、３８ｂの位置を検出する手段を備えている場合には、エッジガイド３８ａ、３８ｂの位置に基づいて原稿Ｇｐのサイズを取得しても良い。  
尚、原稿Ｇｐのサイズ情報を取得した際、原稿Ｇｐのサイズが操作部７を覆わない様な小サイズである場合には原稿退避モードは行う必要はなく、それによってスループットの向上を図ることができる。
【００４６】
また、ステップＳ１０４の送り量Ｌ１は、想定される最大サイズの原稿Ｇｐに合わせて設定しても良いし、最も使用頻度が高いと想定されるサイズ、例えばＡ４サイズの縦方向に合わせて設定しても良い。  
また或いは、原稿検出センサー６１が原稿Ｇｐの後端Ｇｒを検出するまで原稿Ｇｐを退避させても良い。  
また或いは、操作部７や、或いは原稿搬送方向において操作部７の下流に、原稿Ｇｐの後端Ｇｒの通過を検出する後端検出手段を設け、制御部６０が、後端検出手段の検出情報をもとに、原稿Ｇｐの先端Ｇｆを退避位置に位置決めしても良い。図１０は、その様な後端検出センサー６４の設置位置の一例を示している。
【００４７】
また上述したように本実施形態では、複数枚の原稿Ｇｐの読み取りを行う際、１枚目の原稿Ｇｐに対してのみ原稿退避モードを適用する（図９のステップＳ１０３）。即ち複数枚の原稿Ｇｐの読み取りを行う場合、操作部７を介した各種操作設定は、通常１枚目の原稿Ｇｐの読み取りを行う前に１度行えば足りる。そして本実施形態では、複数枚の原稿Ｇｐの読み取りを行う際、１枚目の原稿Ｇｐに対してのみ原稿退避モードを適用するので、複数枚の原稿Ｇｐの読み取りを行う際のスループットの向上を図ることができる。  
尚、原稿退避モードの実行そのものを行うか行わないかを、操作部７を介して設定可能としても良い。これにより、例えば比較的剛性が高い原稿Ｇｐをスキャンする際は、原稿Ｇｐが操作部７を覆いにくいので、原稿退避モードの機能をオフにし、スループットを優先させることができる。また比較的剛性が低い原稿Ｇｐをスキャンする際は、原稿Ｇｐが図７の中央の図で示す様に操作部７を覆いやすいので、原稿退避モードの機能をオンにし、操作部７の視認性を優先させることができる。
【００４８】
また上述したように本実施形態では、制御部６０は原稿退避モードの実行後、原稿Ｇｐの読み取り開始指示を受けると（図９のステップＳ１０５においてYes）、所定のウェイトを設けた後に（図９のステップＳ１０６）、頭出しモードを実行する（図９のステップＳ１０７）。  
これにより、操作部７を操作した後、直ちに原稿Ｇｐが操作部７に向かって移動することを回避でき、操作部７を操作しているユーザーの手指に原稿が当たることを抑制できる。  
尚、原稿Ｇｐの読み取り開始指示を受けた後に所定のウェイト（図９のステップＳ１０６）を設けることに代えて、或いはそれに加えて、頭出しモード（図９のステップＳ１０７）を実行する際の原稿送り速度を、最高解像度でスキャンする際の原稿送り速度、つまり最も遅い原稿送り速度と同じか、或いは更にそれより低速にしたり、或いは原稿Ｇｐを間欠的に戻すことも好適である。これにより、操作部７を操作しているユーザーの手指に原稿が当たることを抑制できる。
【００４９】
また本発明は上記において説明した各実施形態に限定されることなく、特許請求の範囲に記載した発明の範囲内で、種々の変形が可能であり、それらも本発明の範囲内に含まれるものであることは言うまでもない。
【符号の説明】
【００５０】
１…インクジェットプリンター、２…装置本体部、３…読み取り機構部、４…開閉カバー、４ａ…上面、４ｂ…前方覆い部、６…チルトパネル、７…操作部、７ａ…表示部、８…電源ボタン、９…前面カバー、１０…開閉カバー、１０ａ…用紙支持面、１０ｂ…押圧面、１０ｃ…回転軸、１２…支持部材、１３…給送ローラー、１４…分離ローラー、１７…搬送ローラー対、１８…駆動ローラー、１９…従動ローラー、２０…キャリッジ、２１…インクタンク、２２…記録ヘッド、２３…支持部材、２４…メインフレーム、２４ａ…鉛直部、２４ｂ…第１水平部、２４ｃ…第２水平部、２４ｄ…折り曲げ部、２５…導電部材、２６…排出ローラー対、２７…駆動ローラー、２８…従動ローラー、２９…排出トレイ、３６…上部ユニット、３７…下部ユニット、３８ａ、３８ｂ…エッジガイド、４０…入口トレイ、４１…搬送ローラー対、４２…駆動ローラー、４３…従動ローラー、４５…押さえ部材、４６…圧縮ばね、４８…排出ローラー対、４９…駆動ローラー、５０…従動ローラー、５１…保持フレーム、５３…排出トレイ、５３ａ…サブトレイ、５３ｂ…原稿支持面、５４…保持フレーム、５４ａ…ガイド部、５５…センサーモジュール、５６…回路基板、５７…押圧ばね、５８…読み取りガラス、６０…制御部、６１…原稿検出センサー、６２…原稿送りモーター、６３…記憶部、６４…後端検出センサー
【図１】
2020182032.tif 000003
【図２】
2020182032.tif 000004
【図３】
2020182032.tif 000005
【図４】
2020182032.tif 000006
【図５】
2020182032.tif 000007
【図６】
2020182032.tif 000008
【図７】
2020182032.tif 000009
【図８】
2020182032.tif 000010
【図９】
2020182032.tif 000011
【図１０】
2020182032.tif 000012